(57)【特許請求の範囲】
【請求項１】
前後一対の支柱部材の側方から突設されて物品を支持する棚受け具を有する棚設備であって、
上記棚受け具を、前後一対の支柱部材同士を含む第１平面と平行に且つ当該支柱部材の軸心方向と直交するように配置される受け材と、この受け材の両端近傍を両支柱部材にそれぞれ支持するために上記第１平面に対して直交する方向で設けられる一対の腕材とから構成するとともに、
上記各腕材の一端部と受け材とを、支柱部材の軸心方向と平行な連結具を介して、上記第１平面と直交する第２平面内で互いに揺動自在となるように連結したことを特徴とする棚設備。
【請求項２】
物品を支持する受け材の上面よりも、腕材の上面を下方に位置させたことを特徴とする請求項１に記載の棚設備。
【請求項３】
腕材の他端寄り位置に、強度を上げるための凸状部または凹状部を形成したことを特徴とする請求項１または２に記載の棚設備。
【請求項４】
腕材の他端部に、支柱部材の上下に所定間隔おきで形成されたスリットに上方から挿脱自在な下向きフック部を形成するとともに、この下向きフック部の下方位置に、当該下向きフック部が挿入された状態で且つこの挿入されたスリットより下方位置のスリット内に挿入されて当該下向きフック部の上方への抜け出しを防止し得る突出部を形成したことを特徴とする請求項１乃至３のいずれかに記載の棚設備。
【発明の詳細な説明】
【０００１】
【発明の属する技術分野】
本発明は、物品を収納する棚設備に関するものである。
【０００２】
【従来の技術】
通常、立体倉庫などに具備される棚設備は、図７に示すように、前後一対の支柱部材５１，５１が左右方向において所定間隔おきに立設されるとともに、前後一対の支柱部材５１，５１の両側面に、上下方向において所定間隔おきに複数個の棚受け具５２が突設された構成にされており、これら棚受け具５２にて、物品を両側から支持して収納するものである。
【０００３】
そして、棚設備を設置する場合、工場にて製作された棚設備を分解して設置場所まで搬送し組み立てることにより行われているが、支柱部材５１については、例えばトラックの荷台に載るような長さに分割されて搬送が行われている。なお、棚受け具５２については支柱部材５１に連結された状態で搬送されている。
【０００４】
ところで、公知の文献には、トラックなどによる搬送効率を考慮して、支柱部材５１と棚受け具５２とが係脱自在に、すなわち棚受け具を支柱部材から取り外すことができるようにした構成が見受けられる。
【０００５】
この公知の文献に係る構成を図７を参照して説明すると、棚受け具５２は、平面視が「コ」の字形状に、すなわち前後一対の支柱部材５１，５１の両側面から突設される腕部５２ａと、これら両腕部５２ａの先端間に且つ互いに固定して設けられて物品を支持する受け部５２ｂとから構成されるとともに、両腕部５２ａ，５２ａの先端部が、それぞれ支柱部材５１，５１に対して係脱自在に設けられたものであった。
【０００６】
【発明が解決しようとする課題】
ところで、棚設備の中には、数千〜１万個もの多くの棚受け具を必要とするものもあり、したがって受け部の両端部に腕部が直交するように固定して設けられてなる棚受け具を多数トラックにより運搬しようとすると、荷台上にて広いデッドスペースが発生するため、搬送効率が悪いという問題がある。
【０００７】
そこで、本発明は、分解して搬送する際にその搬送効率を向上させ得る棚設備を提供することを目的とする。
【０００８】
【課題を解決するための手段】
上記課題を解決するために、請求項１に係る棚設備は、前後一対の支柱部材の側方から突設されて物品を支持する棚受け具を有する棚設備であって、
上記棚受け具を、前後一対の支柱部材同士を含む第１平面と平行に且つ当該支柱部材の軸心方向と直交するように配置される受け材と、この受け材の両端近傍を両支柱部材にそれぞれ支持するために上記第１平面に対して直交する方向で設けられる一対の腕材とから構成するとともに、
上記各腕材の一端部と受け材とを、支柱部材の軸心方向と平行な連結具を介して、上記第１平面と直交する第２平面内で互いに揺動自在となるように連結したものである。
【０００９】
また、請求項２に係る棚設備は、請求項１に記載の棚設備の棚受け具における物品を支持する受け材の上面よりも、腕材の上面を下方に位置させたものである。
【００１０】
また、請求項３に係る棚設備は、請求項１または２に記載の棚設備の棚受け具における腕材の他端寄り位置に、強度を上げるための凸状部または凹状部を形成したものである。
【００１１】
さらに、請求項４に係る棚設備は、請求項１乃至３のいずれかに記載の棚設備の棚受け具における腕材の他端部に、支柱部材の上下に所定間隔おきで形成されたスリットに上方から挿脱自在な下向きフック部を形成するとともに、この下向きフック部の下方位置に、当該下向きフック部が挿入された状態で且つこの挿入されたスリットより下方位置のスリット内に挿入されて当該下向きフック部の上方への抜け出しを防止し得る突出部を形成したものである。
【００１２】
上記請求項１に係る棚設備の構成によると、棚受け具を、物品を支持する受け材と、この受け材を支柱部材側に取り付けるための一対の腕材とから構成するとともに、受け材に対して腕材を揺動自在に連結したので、棚受け具を例えばトラックなどで搬送する場合、受け材と腕材とを、ほぼ一直線上に位置させることができ、したがって受け材の両端部に、それぞれ腕材が受け材に対して９０度方向で突出するように固定されたものに比べて、その搬送効率の向上を図り得る。
【００１３】
また、請求項２に係る棚設備の構成によると、物品を支持する受け材の上面よりも腕材の上面が下方位置となるようにしたので、物品が受け材の上面に支持された場合、当該物品が腕材の上面に接触して損傷するのを防止し得る。
【００１４】
また、請求項３に係る棚設備の構成によると、腕材の他端寄り位置に、凸状部または凹状部を形成したので、腕材の強度の向上を図り得る。
さらに、請求項４に係る棚設備の構成によると、腕材の他端部に、支柱部材側に設けられたスリットに挿脱自在な下向きフック部を設けるとともに、この下向きフック部がスリットに係合した状態で、他のスリットに挿入し係合する突出部を設けたので、棚受け具が上方に引っ張られたとしても、支柱部材から外れるのを防止し得る。
【００１５】
【発明の実施の形態】
以下、本発明の実施の形態に係る棚設備を、図１〜図６に基づき説明する。
立体倉庫などに設けられる棚設備は、図１に示すように、水平断面が四角形状にされた前後一対の支柱部材１（１ｆ，１ｂ）が左右方向にて所定間隔おきで立設されるとともに、これら各一対の支柱部材１（１Ａ，１Ｂ，１Ｃ・・・）の両側面には、上下方向において所定間隔おきに複数の棚受け具２が突設されたもので、これら両側に設けられた棚受け具２により、物品（例えば、パレット上に載置されたものであり、したがって棚受け具には、直接、パレットが支持されることになる。勿論、物品としては、パレットを介して移動されるものの他に、コンテナそのものであってもよい。）を両側から支持して収納するものである。勿論、上記前後一対の支柱部材１（１ｆ，１ｂ）同士は水平および斜めの連結部材３により互いに連結され、また各一対の支柱部材１（１Ａ，１Ｂ，１Ｃ・・・）同士も連結部材４により互いに連結されている。
【００１６】
上記各棚受け具２は、棚設備の搬送作業の容易化のために各一対の支柱部材１（１Ａ，１Ｂ，１Ｃ・・・）からそれぞれ取り外し可能に、すなわち係脱自在（挿脱自在ともいう）に設けられている。この係脱用として、図２に示すように、各支柱部材１には、各棚受け具２に対応して当該棚受け具２を取外し可能に係合し得る縦長のスリット５が上下において所定間隔おきで且つ２列でもって形成されている。
【００１７】
なお、スリット５を２列でもって形成したのは、支柱部材１に対して両側面に棚受け具２を設ける場合に対処するものであり、例えば左右の端に位置する支柱部材１については、１列だけ設けられるか、または２列設けたとしても１列分だけが使用される。また、スリット５を２列設ける替わりに、２列分の幅を有するスリットを１列設けることもできる。
【００１８】
上記棚受け具２は、図１〜図５に示すように、前後一対の支柱部材１（１ｆ，１ｂ）同士を含む第１平面（鉛直面である）Ｓ１と平行で且つ支柱部材１の軸心方向（鉛直軸心方向である）ａと直交する方向（水平方向である）にて配置される棒状の受け材１１と、この受け材１１の両端部（前後端部）を前後一対の支柱部材１（１ｆ，１ｂ）の側方にそれぞれ支持するために上記第１平面Ｓ１に対して直交する方向（水平方向である）で設けられる前後一対の腕材１２とから構成されている。
【００１９】
そして、各腕材１２の一端部と受け材１１とは、支柱部材１の軸心方向ａと平行な（鉛直軸心方向の）連結ピン（連結具の一例）１３を介して、上記第１平面Ｓ１と直交する第２平面（水平面である）Ｓ２内で、互いに揺動自在に連結されており、支柱部材１への取付状態においては、平面視が「コ」の字状となるような形状にされる。
【００２０】
また、上記腕材１２の他端部には、断面形状が四角形状の支柱部材１の外面に係脱自在な凹部１４ａを有するように断面が「コ」の字形状にされた所定長さの係合板材１４が、当該腕材１２および受け材１１における両軸心に対して直交する方向（支柱部材と同じ軸心方向ａである）で設けられ、さらにこの係合板材１４の折曲げ端縁部１４ｂの上下位置には、支柱部材１に設けられた上下のスリット（１個の中間スリット５Ｂの上下に位置するスリット）５Ａ，５Ｃに上方から係脱自在（挿脱自在）な下向きフック部１４ｃが上下に形成されるとともに、当該両下向きフック部１４ｃの中間位置には、これら両下向きフック部１４ｃが上下のスリット５Ａ，５Ｃに係合（挿入）された状態で且つ係合された上スリット５Ａより直ぐ下方の中間スリット５Ｂ内に挿入されて当該下向きフック部１４ｃの上方への抜け出しを防止し得る側面視が三角形状（上縁が水平面にされた形状）の突出部１４ｄが形成されている。
【００２１】
なお、支柱部材１に形成されるスリット５の位置は、その外面から少し内側に入り込んだ位置に設けられて腕材１２が抜けにくくなるようにされており、このため、支柱部材１側には、腕材１２の他端部に設けられている係合板材１４の折曲げ端縁部１４ｂを案内し得る凹状部６が形成されている。
【００２２】
上記棚受け具２を支柱部材１側に取り付ける場合、その下向きフック部１４ｃを、上斜め方向から上下のスリット５Ａ，５Ｃ内に係合（挿入）させて下向きフック部１４ｃの根元がスリット５Ａ，５Ｃの下端縁に接触するような位置にさせると、中間に設けられた突出部１４ｄが中間スリット５Ｂ内に挿入した状態となる。この状態で、棚受け具２が上方に引っ張られたとしても、突出部１４ｄにより、スリット５から外れるのが防止される。すなわち、この突出部１４ｄは、係合板材１４の位置決めの機能を果たしている。
【００２３】
そして、さらに棚受け具２の支柱部材１への取付け状態において、受け材１１に対する腕材１２の交差角θが９０度より僅かの角度だけ小さくなるように、例えば受け材１１の両端部の連結ピン１３同士間の距離が調整されている。すなわち、このような構成とすることにより、交差角θが９０度以上である場合に比べて、腕材１２の他端部に設けられた係合板材１４を支柱部材１に係合させる際に、係合板材１４の支柱部材１側への押し付け動作が容易になるとともに、より確実な係合状態が得られる。
【００２４】
なお、受け材１１の両端部は、連結ピン１３よりも所定の長さだけ突出するようにされており、この突出部分１１ａにより、腕材１２を受け材１１側に開いた際に、受け材１１と腕材１２とが一直線上に位置する姿勢が維持される。
【００２５】
また、図６に示すように、受け材１１と腕材１２の断面は、内面が開口するような「コ」の字形状にされるとともに、腕材１２が受け材１１の内側に入るように少し小さくされ、さらに受け材１１と腕材１２とを連結するための連結ピン１３の頭部（例えば、リベットの頭部）が、受け材１１の外面（上面、下面）から突出しないように、受け材１１側の表面に凹状部１１ｂが形成されている。
【００２６】
この構成により、物品が受け材１１の上面に支持された際に、物品が連結ピン１３および腕材１２の上面に接触して損傷を受けるという畏れはない。
さらに、腕材１２の他端寄り位置の上下面（勿論、片方の面でもよい）には、スプーンの掬い部分のように外面に突出する凸状部（逆に、内面に突出する凹状部であってもよい）１２ａが形成されて、腕材１２の強度の向上が図られており（勿論、この凸状部は、腕材が開いて受け材と一直線上になった場合でも、受け材の突出部分の端部と干渉しないような位置および大きさでもって設けられており、例えば大きい強度を要する場合には、受け材の突出部分の端部と干渉しないぎりぎりの位置まで延設される）、また腕材１２の一端部の端面１２ｂは、棚受け具２の支柱部材１への取付け状態において、棚受け具２が揺動しにくいように、受け材１１の内面に当接し得るような平面にされている。
【００２７】
上記構成において、例えば工場にて製作された棚設備を所定箇所に設置する場合に分解して搬送することになるが、この分解時において、支柱部材１に「コ」の字形状に固定された棚受け具２の腕材１２の他端部（先端部）に設けられた下向きフック部１４ｃをスリット５から上斜め方向に離脱させ（引き抜き）、そして図４の仮想線にて示すように、両腕材１２を９０度外側に揺動させて受け材１１と同一直線上にしてトラックにて搬送すれば、効率良く搬送を行うことができる。
【００２８】
勿論、設置場所に搬送された後は、両腕材１２を９０度内側に揺動させて、その先端部に設けられた係合板材１４を支柱部材１側に設けられた凹状部６に案内させるとともに、その他端部に設けられた下向きフック部１４ｃをスリット５に係合させることにより、容易に組み立てることができる。
【００２９】
上述したように、棚受け具２を、物品を支持する受け材１１と、この受け材１１を支柱部材１側に取り付けるための一対の腕材１２とから構成するとともに、受け材１１に対して腕材１２を揺動自在に連結したので、棚受け具２を例えばトラックなどで搬送する場合、受け材１１と腕材１２とを、ほぼ一直線上（同一直線上およびほぼ同一直線上を含む）に位置させることができ、したがって、例えば受け材１１の両端部に、それぞれ腕材１２が受け材１１に対して９０度方向に突出するように固定されたものに比べて、その搬送効率の向上を図ることができる。
【００３０】
また、腕材１２が受け材１１の内側に入るように少し小さくされており、すなわち物品を支持する受け材１１の表面よりも腕材１２の表面が下方位置となるようにされているため、物品が受け材１１の上面に支持された場合、腕材１２の上面に接触して物品が損傷することはない。
【００３１】
また、腕材１２の他端寄り位置には、スプーンの掬い部分のように外面に突出する凸状部１２ａが形成されているため、腕材１２の強度が向上する。
また、腕材１２の他端部に、支柱部材１側に設けられたスリット５に係脱自在な下向きフック部１４ｃを設けるとともに、この下向きフック部１４ｃがスリット５Ａ，５Ｃに係合した状態で、他のスリット５Ｂに挿入し係合する突出部１４ｄを設けたので、棚受け具２が上方に引っ張られたとしても、突出部１４ｄにより、スリット５から外れるのが防止される。
【００３２】
さらに、棚受け具２の支柱部材１への取付け状態において、受け材１１に対する腕材１２の交差角θが９０度より僅かの角度だけ小さくなるようにされているため、腕材１２の他端部に設けられた係合板材１４の支柱部材１への係合作業の容易化を図り得るとともに、より確実な係合状態が得られる。
【００３３】
ところで、上記実施の形態においては、棚受け具２を支柱部材１に取り付けるのに、腕材１２を支柱部材１の外面（前後側面）に対して水平方向で揺動させるようにしたが、例えば腕材１２を受け材１１に対してほぼ９０度となるように揺動させた後、腕材１２の他端部に設けられた下向きフック部を、支柱部材１の左右側面に設けられたスリットに対して接近させて係合させることにより、すなわち支柱部材１の側方から取り外し可能に係合させ得る（側面に差し込む）ような構造にすることもできる。
【００３４】
また、上記腕材１２の他端部に設けられる係合板材１４の互いの接続位置は、図３に示したような係合板材１４の中間位置（Ｔ字形状）ではなく、例えば係合板材１４の上端部または下端部であってもよい。すなわち、腕材１２と係合板材１４との接続位置の側面視形状がＬ字形状または逆Ｌ字形状になってもよい。
【００３５】
【発明の効果】
以上のように、請求項１に係る棚設備の構成によると、棚受け具を、物品を支持する受け材と、この受け材を支柱部材側に取り付けるための一対の腕材とから構成するとともに、受け材に対して腕材を揺動自在に連結したので、棚受け具を例えばトラックなどで搬送する場合、受け材と腕材とを、ほぼ一直線上に位置させることができ、したがって受け材の両端部に、それぞれ腕材が受け材に対して９０度方向で突出するように固定されたものに比べて、その搬送効率の向上を図ることができる。
【００３６】
また、請求項２に係る棚設備の構成によると、物品を支持する受け材の上面よりも腕材の上面が下方位置となるようにしたので、物品が受け材の上面に支持された場合、当該物品が腕材の上面に接触して損傷するのを防止することができる。
【００３７】
また、請求項３に係る棚設備の構成によると、腕材の他端寄り位置に、凸状部または凹状部を形成したので、腕材の強度の向上を図ることができる。
さらに、請求項４に係る棚設備の構成によると、腕材の他端部に、支柱部材側に設けられたスリットに挿脱自在な下向きフック部を設けるとともに、この下向きフック部がスリットに係合した状態で、他のスリットに挿入し係合する突出部を設けたので、棚受け具が上方に引っ張られたとしても、支柱部材から外れるのを防止することができる。
【図面の簡単な説明】
【図１】本発明の実施の形態に係る棚設備の概略構成を示す斜視図である。
【図２】同棚設備における棚受け具の側面図である。
【図３】図２のＡ−Ａ矢視図である。
【図４】図２のＢ−Ｂ矢視図である。
【図５】図４のＣ−Ｃ断面図である。
【図６】図４のＤ−Ｄ断面図である。
【図７】従来例に係る棚設備の概略構成を示す斜視図である。
【符号の説明】
１      支柱部材
２      棚受け具
５      スリット
１１      受け材
１１ｂ    凹状部
１２      腕材
１２ａ    凸状部
１３      連結ピン
１４      係合板材
１４ａ    凹部
１４ｂ    折曲げ端縁部
１４ｃ    下向きフック部
１４ｄ    突出部
【図１】
0003985553.tif 000002
【図２】
0003985553.tif 000003
【図３】
0003985553.tif 000004
【図４】
0003985553.tif 000005
【図５】
0003985553.tif 000006
【図６】
0003985553.tif 000007
【図７】
0003985553.tif 000008